(57)【要約】【課題】  樹脂の種類及び性状に拘わらず、リップ部からの樹脂漏れを極力無くすと共に、成形される樹脂フィルムの両端の耳高の発生を防止したＴダイ及び該Ｔダイに用いられるＴダイ用アウターインナーデッケル棒を提供すること。【解決手段】  柱状体又は筒状体からなるロッドと該ロッド下部に一体化されている板状の長尺フラッグと該長尺フラッグ下部に一体化されている断面が縦長の長方形である長尺デッケルとからなり、該長尺フラッグはその長手方向上面で該ロッドの長手方向下面と全長に渡って一体化されていると共に、その長手方向下面で該長尺デッケルの長手方向上面と全長に渡って一体化されていることを特徴とするＴダイ用アウターインナーデッケル棒、及び該アウターインナーデッケル棒を用いたＴダイ。【選択図】      図１
2005288738.tif 000002
【特許請求の範囲】
【請求項１】
柱状体又は筒状体からなるロッドと該ロッド下部に一体化されている板状の長尺フラッグと該長尺フラッグ下部に一体化されている断面が縦長の長方形である長尺デッケルとからなり、該長尺フラッグはその長手方向上面で該ロッドの長手方向下面と全長に渡って一体化されていると共に、その長手方向下面で該長尺デッケルの長手方向上面と全長に渡って一体化されていることを特徴とするＴダイ用アウターインナーデッケル棒。
【請求項２】
上記ロッドの断面が多角形、円形、逆液滴形である請求項１記載のＴダイ用アウターインナーデッケル棒。
【請求項３】
先端部が長手方向に対して下面方向に向かって鋭角の傾斜を有している請求項１又は２記載のＴダイ用アウターインナーデッケル棒。
【請求項４】
先端部が長手方向に対して直角である請求項１又は２記載のＴダイ用アウターインナーデッケル棒。
【請求項５】
上記ロッドの縦方向の長さ（ａ）と上記長尺デッケルの縦方向の長さ（ｂ）の比が、１：１．２〜３．０である請求項１〜４のいずれかに記載のＴダイ用アウターインナーデッケル棒。
【請求項６】
溶融樹脂が流れるマニホールド部、ラウンド部及びリップ部を有し、ラウンド部にデッケルが設けられているＴダイであって、
柱状体又は筒状体からなるロッドと該ロッド下部に一体化されている板状の長尺フラッグと該長尺フラッグ下部に一体化されている断面が縦長の長方形である長尺デッケルとからなり、該長尺フラッグはその長手方向上面で該ロッドの長手方向下面と全長に渡って一体化されていると共に、その長手方向下面で該長尺デッケルの長手方向上面と全長に渡って一体化されているアウターインナーデッケル棒が設けられており、該ロッドは該ラウンド部下端傾斜部に嵌合され、該長尺フラッグはリップ部上部からリップ部出口を突出して配置されていることを特徴とするＴダイ。
【請求項７】
上記ロッドの断面が多角形、円形、逆液滴形である請求項６記載のＴダイ。
【請求項８】
上記アウターインナーデッケル棒の先端部が長手方向に対して下面方向に向かって鋭角の傾斜を有している請求項６又は７記載のＴダイ。
【請求項９】
上記アウターインナーデッケル棒の先端部が長手方向に対して直角である請求項６又は７記載のＴダイ。
【請求項１０】
上記ロッドの縦方向の長さ（ａ）と上記長尺デッケルの縦方向の長さ（ｂ）の比が、１：１．２〜３．０である請求項６〜９のいずれかに記載のＴダイ。
【発明の詳細な説明】
【技術分野】
【０００１】
本発明は、ポリエチレン等の合成樹脂からフィルムを成形する際に用いられるＴダイに関し、詳しくはリップ部からの樹脂漏れを極力無くすと共に、成形されるフィルムの両端の耳高の発生を防止したＴダイ及びＴダイ用アウターインナーデッケル棒に関する。
【背景技術】
【０００２】
ポリエチレンやポリプロピレン等の熱可塑性樹脂フィルムを成形する主な方法としては、Ｔダイ法とインフレーション法とがある。このうちＴダイ法はポリエチレン等の樹脂フィルムを押し出し成形し、これを熱いうちに金属箔やセロハン紙、クラフト紙等と重ね合わせ、ロールで加圧し、ラミネートして肥料袋、防振袋等を作るのに利用されており、さらに薬包材や食品包材等の包装材にも広範に利用されている。
【０００３】
このＴダイにおいては、押し出し幅の調整手段が不可欠である。この押し出し幅の調整手段として、インナーデッケル方式とアウターデッケル方式とに大別される。インナーデッケル方式は、例えばＴダイのラウンド部にデッケルを配置し、さらにラウンド部下端にデッケル棒を配置し、このデッケルとデッケル棒とによって、溶融樹脂の漏洩を防止しつつ樹脂の幅規制を行うものである。一方、アウターデッケル方式は、例えばＴダイのリップ部外面に冶具を取り付け金具で圧着するようにして取り付け、冶具内のシール部をリップに密着せしめ、樹脂の幅規制を行うと共に、樹脂の漏洩防止を図るものである。
【０００４】
インナーデッケル方式の一例を示す正面部分の概略断面図を図８及びデッケル部分の拡大図を図９にそれぞれ示す。図８及び９において、５は押出機、６はＴダイ本体、７はマニホールド部、８はラウンド部、９はリップ部、１０は樹脂フィルム、１１は埋め込みデッケル支持棒、１２は埋め込みデッケル、１４はデッケル棒、１５は旗付デッケル棒をそれぞれ示す。
【０００５】
図８及び９に示されるＴダイは、マニホールド部７に設けられた埋め込みデッケル支持棒１１により保持された埋め込みデッケル１２とラウンド部８下端傾斜部に設けられたデッケル棒１４及び旗付デッケル棒１５とによって、樹脂幅の調整及び微調整を行い、樹脂フィルム１０を押し出し成形するものである。
【０００６】
しかし、このような方式のＴダイでも、樹脂の種類によって、ネックインに基づき得られる樹脂フィルムの両端に耳高が発生する。この両端の耳高部分は樹脂フィルムを巻き取り後、除去しなければならず、経済的に極めて不利である。Ｔダイに用いられる樹脂としては、低密度ポリエチレン、直鎖低密度ポリエチレン、エチレン−酢酸ビニル樹脂、ポリプロピレン等１０種類以上あり、色付きのマスターバッチ樹脂もあり、同種の樹脂においてもメルトインデックス、ネックインの大きさも各々異なる。このような情況の中で、いずれの樹脂を用いても得られる樹脂フィルムの両端に耳高が全く生じないＴダイは得られていない。
【０００７】
また、このようなＴダイでは、デッケル棒部分に樹脂が溜まり、その部分から樹脂漏れが生じるという問題が生じる。この漏れた樹脂は、得られた樹脂フィルムに落下し、付着する。樹脂漏れは１時間に２〜３回生じることがあり、この樹脂フィルムに付着した樹脂は、製品品質上、極めて問題である。すなわち、樹脂漏れがあると、樹脂フィルムを巻き取るときに静電気が発生し、洩れた樹脂が製品に入り、クレームの原因となっていた。このため、作業者が除去器具を用いてこの付着樹脂を取り除いているが、この作業は、最も危険であり、ニップロール等のロールに手を挟まれる等の恐れを生じる。
【０００８】
一方、アウターデッケル方式では、デッケルをリップ出口に装着するため、どうしてもダイからロール迄のエアギャップが長くなり、耳高の発生が避けられないという問題が生じる。また、上記インナーデッケル方式と同様に樹脂漏れが生じるという問題も有する。
【０００９】
このような問題を解決する提案として、特許文献１には、特定形状のインナーデッケルとアウターデッケルとを組み合わせて用いたＴダイが提案されている。
【００１０】
【特許文献１】特開平８−５２７８３号公報
【００１１】
しかし、この特許文献１に記載のＴダイを用いても、用いる樹脂の種類によっては得られる樹脂フィルムの両端に耳高が発生し、また樹脂漏れが生じた。
【００１２】
一方、特許文献２には、ハタ付ロッド棒のハタ下面に目ヤニ除去体を形成したＴダイ装置のリップ下面清掃装置が記載されており、この目ヤニ除去体としてリップ下面を摺動可能な鍔状体が記載されている。
【００１３】
【特許文献２】特開２０００−２５０８９号公報
【００１４】
しかし、この特許文献２に記載されている目ヤニ除去体は、ハタ下面のみに設けられるもので、その目的はリップ下面に生成する目ヤニ(固着樹脂)を除去するものであり、得られる樹脂フィルムの耳高の発生を防止し、かつリップ部からの樹脂漏れを極力無くすものではない。
【発明の開示】
【発明が解決しようとする課題】
【００１５】
従って、本発明の目的は、樹脂の種類及び性状に拘わらず、リップ部からの樹脂漏れを極力無くすと共に、成形される樹脂フィルムの両端の耳高の発生を防止したＴダイ及び該Ｔダイに用いられるＴダイ用アウターインナーデッケル棒を提供することにある。
【課題を解決するための手段】
【００１６】
本発明者らは、検討の結果、埋め込みデッケル等に加えて、特定のアウターインナーデッケル棒を用いることによって、本発明に到達することを知見した。
【００１７】
すなわち、本発明（１）は、柱状体又は筒状体からなるロッドと該ロッド下部に一体化されている板状の長尺フラッグと該長尺フラッグ下部に一体化されている断面が縦長の長方形である長尺デッケルとからなり、該長尺フラッグはその長手方向上面で該ロッドの長手方向下面と全長に渡って一体化されていると共に、その長手方向下面で該長尺デッケルの長手方向上面と全長に渡って一体化されていることを特徴とするＴダイ用アウターインナーデッケル棒を提供するものである。
【００１８】
また、本発明(２)は、上記ロッドの断面が多角形、円形、逆液滴形である上記Ｔダイ用アウターインナーデッケル棒を提供するものである。
【００１９】
また、本発明(３)は、先端部が長手方向に対して下面方向に向かって鋭角の傾斜を有している上記Ｔダイ用アウターインナーデッケル棒を提供するものである。
【００２０】
また、本発明(４)は、先端部が長手方向に対して直角である上記Ｔダイ用アウターインナーデッケル棒を提供するものである。
【００２１】
また、本発明(５)は、上記ロッドの縦方向の長さ（ａ）と上記長尺デッケルの縦方向の長さ（ｂ）の比が、１：１．２〜３．０である上記Ｔダイ用アウターインナーデッケル棒を提供するものである。
【００２２】
また、本発明(６)は、溶融樹脂が流れるマニホールド部、ラウンド部及びリップ部を有し、ラウンド部にデッケルが設けられているＴダイであって、
柱状体又は筒状体からなるロッドと該ロッド下部に一体化されている板状の長尺フラッグと該長尺フラッグ下部に一体化されている断面が縦長の長方形である長尺デッケルとからなり、該長尺フラッグはその長手方向上面で該ロッドの長手方向下面と全長に渡って一体化されていると共に、その長手方向下面で該長尺デッケルの長手方向上面と全長に渡って一体化されているアウターインナーデッケル棒が設けられており、該ロッドは該ラウンド部下端傾斜部に嵌合され、該長尺フラッグはリップ部上部からリップ部出口を突出して配置されていることを特徴とするＴダイを提供するものである。
【００２３】
また、本発明(７)は、上記ロッドの断面が多角形、円形、逆液滴形である上記Ｔダイを提供するものである。
【００２４】
また、本発明(８)は、上記アウターインナーデッケル棒の先端部が長手方向に対して下面方向に向かって鋭角の傾斜を有している上記Ｔダイを提供するものである。
【００２５】
また、本発明(９)は、上記アウターインナーデッケル棒の先端部が長手方向に対して直角である上記Ｔダイを提供するものである。
【００２６】
また、本発明(１０)は、上記ロッドの縦方向の長さ（ａ）と上記長尺デッケルの縦方向の長さ（ｂ）の比が、１：１．２〜３．０であるＴダイを提供するものである。
【発明の効果】
【００２７】
本発明に係るＴダイ用アウターインナーデッケル棒を用いたＴダイは、樹脂の種類及び性状に拘わらず、リップ部からの樹脂漏れを極力無くすと共に、成形されるフィルムの両端の耳高の発生を防止することができる。
【発明を実施するための最良の形態】
【００２８】
以下、本発明を実施するための最良の形態について説明する。
図１は、本発明に係るＴダイ用アウターインナーデッケル棒の第一の実施形態を示す断面図であり、図２は、その先端部分の斜視図である。また、図３は、本発明に係るＴダイ用アウターインナーデッケル棒の第二の実施形態を示す断面図であり、図４は、その先端部分の斜視図である。
【００２９】
本発明に係るアウターインナーデッケル棒１は、ロッド２と該ロッド下部に一体化されている長尺フラッグ３と該長尺フラッグ下部に一体化されている長尺デッケル４とからなる。
【００３０】
ロッド２は、柱状体又は筒状体からなり、その断面は、多角形、円形、逆液滴形等である。図１及び２に示される第一の実施形態では、その断面は漏斗状の六角形、図３及び４に示される第二の実施形態では逆液滴形である。これらの断面形状及びその大きさは、Ｔダイのラウンド部下端の傾斜部に嵌合されるような形状及びその大きさにすることが必要である。
【００３１】
長尺フラッグ３は、板状である。この長尺フラッグ３の縦方向の長さ（ｃ）は、Ｔダイのリップ部上部からリップ部出口を突出するような長さであることが必要である。
【００３２】
長尺デッケル４は、断面が縦長の長方形であり、Ｔダイのリップ部出口下方に配される。この長尺デッケル４の縦方向の長さ（ｂ）は、ロッド２の縦方向の長さ（ａ）と長尺デッケル４の縦方向の長さ（ｂ）の比が、１：１．２〜３．０となるような長さにすることが必要である。また、長尺デッケル４の横方向の長さ（ｅ）は、ロッド２の横方向の長さ(最大長さ)（ｄ）と略同一であることが望ましく、長尺フラッグの横方向の長さ（ｆ）の３．０〜７．０倍程度が好ましい。
【００３３】
また、長尺フラッグ３はその長手方向上面でロッド２の長手方向下面と全長に渡って一体化されていると共に、その長手方向下面で長尺デッケル４の長手方向上面と全長に渡って一体化されている。このように、ロッド２と長尺フラッグ３と長尺デッケル４が各々その長手方向において全長に渡って一体化され、全体的に一体化されているのは、Ｔダイに配置したときに、得られる樹脂フィルムの耳高の発生を防止し、かつ樹脂漏れを極力無くすためである。
【００３４】
本発明の第一の実施形態では、図２に示されるように、アウターインナーデッケル棒１の先端部は、長手方向に対して下面方向、すなわちロッド２から長尺デッケル４に向かって鋭角の傾斜を有している。この際の傾斜角は（α）３０〜６０度が望ましい。一方、本発明の第二の実施形態では、図４に示されるように、アウターインナーデッケル棒１の先端部は、長手方向に対して直角である。本発明に係るアウターインナーデッケル棒では、先端部はいずれの形態でもよいが、より有効に本発明の目的を達成するためには、図２に示される第一の実施形態が好ましい。
【００３５】
本発明に係るアウターインナーデッケル棒１は、上述のように、ロッド２、長尺フラッグ３及び長尺デッケル４からなるものであるが、これらを一体に成形される。このアウターインナーデッケル棒１は、強度、耐熱性等を考慮してりん青銅等により製造される。
【００３６】
図１に示される第一の実施形態のアウターインナーデッケル棒１の好ましい断面寸法の一例は、次の通りである。
ロッド２：上部長方形部分の横方向の長さ（ｄ）３．５ｍｍ、縦方向の長さ５．０ｍｍ、下部逆台形部分の横方向の上底３．５ｍｍ、下底０．７ｍｍ、縦方向の長さ２．４ｍｍ、全体の縦方向の長さ（ａ）７．４ｍｍ
長尺フラッグ３：横方向長さ（ｆ）０．７ｍｍ、縦方向長さ（ｃ）３．０ｍｍ
長尺デッケル４：横方向長さ（ｅ）３．５ｍｍ、縦方向長さ（ｂ）１０．０ｍｍ
【００３７】
図３に示される第一の実施形態のアウターインナーデッケル棒１の好ましい断面寸法の一例は、次の通りである。
ロッド２：最大横方向長さ（ｄ）２．６５ｍｍ、上部縦方向の長さ１．３２５ｍｍ、下部縦方向の長さ２．０４ｍｍ、全体の縦方向の長さ（ａ）３．３６５ｍｍ
長尺フラッグ３：横方向長さ（ｆ）０．７ｍｍ、縦方向長さ（ｃ）３．０ｍｍ
長尺デッケル４：横方向長さ３．５ｍｍ（ｅ）、縦方向長さ（ｂ）１０．０ｍｍ
【００３８】
図５は、本発明に係るＴダイの一実施形態を示す正面部分の概略縦断面図であり、図６は図５のデッケル部分の拡大図、図７は図５に示されるＴダイのラウンド部及びリップ部の部分横断面図である。
【００３９】
図５〜７に示されるＴダイでは、押出機５より押し出された溶融樹脂は、Ｔダイ本体６のマニホールド部7、ラウンド部８、リップ部９を経てリップ部出口より樹脂フィルム１０が押し出し成形される。
【００４０】
樹脂幅の調整及び微調整は、図６及び７に示されるように、マニホールド部７に設けられた埋め込みデッケル支持棒１１に保持された埋め込みデッケル１２とロングデッケル１３と上述したアウターインナーデッケル棒１をＴダイ６の横方向に移動することによりなされる。アウターインナーデッケル棒１のロッド２は、ラウンド部７下端の傾斜部に嵌合され、また長尺フラッグ３はリップ部８上部からリップ部出口を突出して配置されており、一体としてＴダイ６の横方向に移動する。なお、本発明においては、ロングデッケル１３に代えて、従来より用いられている旗付デッケル棒(図８及び９参照)を用いてもよい。
【００４１】
このようにアウターインナーデッケル棒１をＴダイ６に設けることによって、次のような作用、効果を奏する。すなわち、アウターインナーデッケル棒１は一定の自重を有し、安定して位置するので、溶融樹脂の圧力によって変位等してぶれることがないため、リップ部９からの樹脂漏れが生じ難い。また、断面が縦長の長尺デッケル４が樹脂幅の調整及び微調整のみならず、放熱板の働きを有するため、漏れた樹脂も冷却され固着樹脂となるため、樹脂フィルムへの樹脂の付着を結果的に防止できる。
【産業上の利用可能性】
【００４２】
本発明に係るＴダイ用アウターインナーデッケル棒及びこれを用いたＴダイによって、樹脂の種類、性状に拘わらず、リップ部からの樹脂漏れを極力無くすと共に、成形される樹脂フィルムの両端の耳高の発生を防止することができる。従って、樹脂フィルムからの付着樹脂の除去や両端のブロアーを大幅に回避できるため、生産性が著しく向上するのみならず、経済的にも極めて有利である。
【図面の簡単な説明】
【００４３】
【図１】図１は、本発明に係るＴダイ用アウターインナーデッケル棒の第一の実施形態を示す断面図である。
【図２】図２は、図１に示されるＴダイ用アウターインナーデッケル棒先端部の斜視図である。
【図３】図３は、本発明に係るＴダイ用アウターインナーデッケル棒の第二の実施形態を示す断面図である。
【図４】図４は、図３に示されるＴダイ用アウターインナーデッケル棒先端部の斜視図である。
【図５】図５は、本発明に係るＴダイの一実施形態を示す正面部分の概略縦断面図である。
【図６】図６は、図５に示されるＴダイのデッケル部分の拡大図である。
【図７】図７は、図５に示されるＴダイのラウンド部及びリップ部の部分横断面図である。
【図８】図８は、従来のＴダイの一例を示す正面部分の概略縦断面図である。
【図９】図９は、図８に示されるＴダイのデッケル部分の拡大図である。
【符号の説明】
【００４４】
１  アウターインナーデッケル棒
２  ロッド
３  長尺フラッグ
４  長尺デッケル
５  押出機
６  Ｔダイ本体
７  マニホールド部
８  ラウンド部
９  リップ部
１０  樹脂フィルム
１１  埋め込みデッケル支持棒
１２  埋め込みデッケル
１３  ロングデッケル
１４  デッケル棒
１５  旗付デッケル棒
【図１】
2005288738.tif 000003
【図２】
2005288738.tif 000004
【図３】
2005288738.tif 000005
【図４】
2005288738.tif 000006
【図５】
2005288738.tif 000007
【図６】
2005288738.tif 000008
【図７】
2005288738.tif 000009
【図８】
2005288738.tif 000010
【図９】
2005288738.tif 000011